(57)【特許請求の範囲】
【請求項１】
加熱手段によって加熱された湯を貯留する貯湯タンクと、貯湯タンク内の貯湯温度を検知する貯湯温センサと、貯湯タンクへの給水温度を検知する給水温センサと、前記貯湯温度に基づいて貯湯タンク内の残湯状態を判定する残湯判定手段と、前記判定結果を貯湯タンク内の残湯量として表示する残湯表示部とを備えた貯湯式給湯システムにおいて、
残湯判定手段は、貯湯温度が所定の加熱目標温度以上である場合に、貯湯温度から給水温度を減算した値が所定温度以上のときは残湯ありと判定し、前記減算した値が前記所定温度未満のときは残湯なしと判定する制御構成とした、貯湯式給湯システム。
【請求項２】
請求項１に記載の貯湯式給湯システムにおいて、
貯湯タンク内の温度を上下所定の検知領域に分けて検知する複数の貯湯温センサを備え、
残湯表示部では、前記残湯ありと判定された検知領域の数が増加した分、前記残湯量の表示値が増加され、前記残湯なしと判定された検知領域の数が増加した分、前記残湯量の表示値が減少される制御構成とした、貯湯式給湯システム。
【発明の詳細な説明】
【技術分野】
【０００１】
本発明は、貯湯タンク内に貯留した湯を利用して給湯可能な貯湯式給湯システムに関するものである。
【背景技術】
【０００２】
従来の貯湯式給湯システムにおいて、貯湯タンクに貯湯温センサを設け、所定の加熱目標温度に対する検知温度（貯湯温度）の割合から貯湯タンク内の残湯状態を判定し、リモコンの残湯表示部に表示させるものが知られている（例えば、特許文献１参照）。
【０００３】
このものでは、貯湯タンク内の湯水が加熱手段によって加熱され、貯湯温センサの検知温度が上昇すれば、それに合わせて残湯状態の表示値が増加する一方、貯湯タンク内の湯が使用され、貯湯温センサの検知温度が降下すれば、それに合わせて残湯状態の表示値が減少するから、貯湯タンク内に湯がどの程度残っており、どの程度使用されたかを使用者が容易に認識できる。
【先行技術文献】
【特許文献】
【０００４】
【特許文献１】特開２００４−３６０９５６号公報
【発明の概要】
【発明が解決しようとする課題】
【０００５】
しかしながら、上記従来の貯湯式給湯システムでは、夏場のように貯湯タンクへ供給される水の温度（給水温度）が高く、その給水温度と貯湯温度との差が比較的少ない条件下においては、給湯を行っても上記割合が減少しないため、貯湯タンク内の残湯量の表示が変わらず、運転状況の誤認を招く恐れがあった。
【０００６】
本発明は係る点に鑑みてなされたものであり、給水温度が比較的高い場合でも残湯量の表示が適切に行われるようにし、運転状況の誤認を防止することを課題とする。
【課題を解決するための手段】
【０００７】
本発明に係る貯湯式給湯システムは、
加熱手段によって加熱された湯を貯留する貯湯タンクと、貯湯タンク内の貯湯温度を検知する貯湯温センサと、貯湯タンクへの給水温度を検知する給水温センサと、前記貯湯温度に基づいて貯湯タンク内の残湯状態を判定する残湯判定手段と、前記判定結果を貯湯タンク内の残湯量として表示する残湯表示部とを備えた貯湯式給湯システムにおいて、
残湯判定手段は、貯湯温度が所定の加熱目標温度以上である場合に、貯湯温度から給水温度を減算した値が所定温度以上のときは残湯ありと判定し、前記減算した値が前記所定温度未満のときは残湯なしと判定する制御構成としたものである。
【０００８】
上記構成によれば、貯湯温度が加熱目標温度以上である場合に、貯湯温度から給水温度を減算した値が所定温度以上であれば、残湯ありに対応する表示が行われ、上記減算した値が所定温度未満であれば、残湯なしに対応する表示が行われるから、夏場のように給水温度が比較的高く、貯湯タンクへの給水温度と貯湯温度との差が比較的少ない条件下であっても、実際の貯湯タンク内の残湯量に合わせて正確にその残湯量を表示させることが可能である。
【０００９】
上記貯湯式給湯システムにおいて、貯湯タンク内の温度を上下所定の検知領域に分けて検知する複数の貯湯温センサを備え、
残湯表示部では、前記残湯ありと判定された検知領域の数が増加した分、前記残湯量の表示値が増加され、前記残湯なしと判定された検知領域の数が増加した分、前記残湯量の表示値が減少される制御構成としたものであるのが望ましい。
【００１０】
このものでは、残湯ありと判定された検知領域の数が増加すれば、その分、貯湯タンク内の残湯量の表示値を増加させ、残湯なしと判定された検知領域の数が増加すれば、その分、貯湯タンク内の残湯量の表示値を減少させるから、実際の貯湯タンク内の残湯量を一層正確に表示させることが可能である。
【発明の効果】
【００１１】
本発明は、上記構成であるから次の特有の効果を有する。
【００１２】
給水温度が比較的高い場合であっても、貯湯タンク内の残湯状態の表示を適切に行うことが可能であるから、運転状況の誤認を防止できる。
【図面の簡単な説明】
【００１３】
【図１】本発明の実施の形態に係る貯湯式給湯システムの概略構成図。
【図２】本発明の実施の形態に係る貯湯式給湯システムのリモコンの概略図。
【図３】本発明の実施の形態に係る貯湯式給湯システムの残湯量表示動作を示す作動フローチャート。
【図４】本発明の実施の形態に係る貯湯式給湯システムの湯漏れ検知動作を示す作動フローチャート。
【図５】本発明の他の実施形態に係る貯湯式給湯システムの検知時期調整動作を示す作動フローチャート。
【発明を実施するための形態】
【００１４】
次に、上記した本発明を実施するための形態について、添付図面を参照しながら詳述する。
【００１５】
図１に示すように、本発明の実施の形態に係る貯湯式給湯システム１は、湯水を貯留する貯湯タンク１２と、貯湯タンク１２から送り出された湯水をガスバーナ１３０の燃焼熱によって加熱する補助熱源機１３と、太陽熱を回収して貯湯タンク１２内の湯水を加熱する太陽熱集熱器１４と、貯湯式給湯システム１を遠隔操作するためのリモコン１５と、貯湯式給湯システム１による給湯運転や貯湯運転を制御する制御回路１６とを備えている。
【００１６】
また、貯湯タンク１２の上部には、貯湯タンク１２内の湯水を補助熱源機１３へ導く給湯管路１７Ａが接続されている一方、貯湯タンク１２底部には、上水道から貯湯タンク１２へ水を導く給水管路１７Ｂが接続されている。
【００１７】
貯湯タンク１２は、内部に貯留された湯水の温度を検知する複数（ここでは、４つ）の貯湯温センサ２１を備えている。これら各貯湯温センサ２１は、貯湯タンク１２の側壁に対して上下方向へ等間隔で並設されており、貯湯タンク１２内の温度を上下所定領域（ここでは、上域、中上域、中下域、下域の４つの領域）に分けて階層的に検知するように構成されている。
【００１８】
補助熱源機１３は、ガスバーナ１３０の燃焼熱を回収する給湯用熱交換器１３１および暖房用熱交換器１３２を備えており、上記給湯用熱交換器１３１の入口に給湯管路１７Ａが接続されている。一方、給湯熱交換器１３１の出口は、カランやシャワー等の温水供給先Ｐへ繋がっている。
【００１９】
また、暖房用熱交換器１３２には、暖房用熱交換器１３２内で加熱された温水（不凍液を混入した熱媒等も含む）を補助熱源機１３外部に設置された暖房機Ｗへ導く温水循環管路１８が接続されている。尚、補助熱源機１３内には、商用電源によって駆動する循環ポンプ１３３が組み込まれており、この循環ポンプ１３３を駆動させることにより、暖房用熱交換器１３２内の温水が暖房機Ｗへ温水循環管路１８の暖房用循環管路１８Ａを介して循環される。
【００２０】
尚、暖房用熱交換器１３２は、通常、暖房機Ｗへ温水を供給するための加熱手段として用いられるが、日射量不足によって貯湯タンク１２内に湯水が貯留されない場合や、貯湯タンク１２内の湯水の入れ替わりが少なく、その内部でレジオネラ菌等の細菌が繁殖する恐れのある場合に、貯湯タンク１２内の湯水を再加熱するための加熱手段としても用いられる。
【００２１】
太陽熱集熱器１４は、図示しないが、太陽熱を回収する集熱パネルと太陽光を電力に変換する太陽電池パネルとを積層一体化させた構成であり、その内部に形成された図示しない熱媒通路には、貯湯タンク１２の内部へ延びる熱媒循環管路１９が接続されている。尚、上記太陽電池パネルは、電気配線を通じて制御回路１６へ繋がっており、この太陽電池パネルから制御回路１６へ供給される電力によって後述する循環ポンプ４２を駆動させることが可能な構成になっている。
【００２２】
給湯管路１７Ａには、貯湯タンク１２から送り出される湯水の温度を検知する出湯温センサ２２と、貯湯タンク１２内が所定圧力より高くなった際に開放して貯湯タンク１２内の湯水を外部へ排出する圧力逃がし弁２３と、貯湯タンク１２から給湯管路１７Ａへの湯水の送出を遮断可能な電磁弁２４と、貯湯タンク１２から給湯管路１７Ａへ送り出される湯と給水管路１７Ｂから後述する分岐管路１７Ｃを介して給湯管路１７Ａへ供給される水との混合割合を調整する湯水混合弁２５と、湯水混合弁２５の下流側における給湯管路１７Ａの流量を検知する水量センサ２６と、湯水混合弁２５によって所定の割合で混合された湯と水の混合温度を検知する混合温センサ２７とが上流側（貯湯タンク１２側）よりこの順序で設けられており、電磁弁２４が開放された状態で、出湯温センサ２２、混合温センサ２７および後述する給水温センサ３１の各検知温度に基づいて湯水混合弁２５の開度を調整することで、貯湯タンク１２内の湯水が給水管路１７Ｂから供給される水と混合されて補助熱源機１３へ供給される。
【００２３】
給水管路１７Ｂは、その中間部から分岐管路１７Ｃを介して湯水混合弁２５へ繋がっている。また、給水管路１７Ｂの上記分岐管路１７Ｃより上流側には、貯湯タンク１２や分岐管路１７Ｃへ供給される水の温度を検知する給水温センサ３１と、貯湯タンク１２への給水圧を調整する減圧弁３２とが設けられており、貯湯タンク１２内の湯水が給湯管路１７Ａ側へ送り出されて減圧弁３２の下流側圧力が減少すれば、貯湯タンク１２内の圧力を維持すべく、それに合わせて給水管路１７Ｂから貯湯タンク１２内へ水が送り込まれる。
【００２４】
熱媒循環管路１９は、太陽熱集熱器１４内の図示しない熱媒通路の出口から貯湯タンク１２の内部下域を通って熱媒通路の入口へ繋がっており、熱媒を上記熱媒通路と貯湯タンク１２内部の放熱部１９０との間で循環させることで、貯湯タンク１２内の湯水が加熱される。
【００２５】
また、熱媒循環管路１９には、不凍液からなる熱媒を貯留するシスターン４１と、熱媒を熱媒循環管路１９内で循環させる循環ポンプ４２と、熱媒の温度を検知する熱媒温度センサ４３と、熱媒循環管路１９内の熱媒の循環を遮断可能な常開熱動弁４４とが上流側（放熱部１９０の出口側）よりこの順序で設けられており、上記常開熱動弁４４が開放された状態で循環ポンプ４２を作動することで、シスターン４１内の熱媒が熱媒循環管路１９内で循環する。
【００２６】
さらに、熱媒循環管路１９には、シスターン４１の下流側から太陽熱集熱器１４を経由しないで放熱部１９０の上流側へ繋がるバイパス管路１９１が設けられている。このバイパス管路１９１には、温水循環管路１８の再加熱用循環管路１８Ｂへ繋がる液々熱交換部４５と、バイパス管路１９１の熱媒の流れを遮断可能な常閉熱動弁４６とが設けられており、上記常閉熱動弁４６が開放された状態で循環ポンプ４２を作動するとともに、再加熱用循環管路１８Ｂに設けられた熱動弁４７を開放して補助熱源機１３の暖房用熱交換器１３２内の温水を液々熱交換器４５へ循環させることで、貯湯タンク１２内の湯水を加熱できる。尚、この補助熱源機１３を利用した貯湯タンク１２内の湯水の再加熱運転を行う場合、太陽熱集熱器１４側へ熱媒が循環されないようにするため、熱媒循環管路１９の常開熱動弁４４は閉状態で維持される。
【００２７】
リモコン１５は、設定温度や貯湯タンク１２内の残湯量を表示する表示パネル５０と、貯湯式給湯システム１による給湯運転の開始および停止を操作する運転スイッチ５１とを備えている。
【００２８】
また、図２に示すように、表示パネル５０には、貯湯タンク１２内の残湯量を複数段階の目盛（ここでは、４目盛）の点消灯で表す残湯表示部５００が設けられており、例えば、後述する残湯判定部によって貯湯タンク１２内の残湯量が最大であると判定された場合は、残湯表示部５００の目盛を全点灯させ、上記残湯量が最小であると判定された場合は、残湯表示部５００の目盛を全消灯させる。
【００２９】
制御回路１６は、図示しないが、マイクロコンピュータやメモリ等で構成されており、貯湯タンク１２内の湯水を温水供給先Ｐへ供給する給湯運転の実行部と、貯湯タンク１２内の湯水の温度を調整する貯湯運転の実行部と、貯湯温センサ２１の検知温度に基づいて貯湯タンク１２内の残湯の有無を判定する残湯判定部と、残湯判定部の判定結果を残湯レベルとして記憶する残湯レベル記憶部と、上記残湯レベルを表示パネル５０に表示させる表示調整部とを備えている。
【００３０】
［残湯量表示動作の実際］
次に、制御回路１６による貯湯タンク１２内の残湯量表示動作について、図３のフローチャートに従って説明する。
【００３１】
まず、リモコン１５の運転スイッチ５１が押されてオンになると、各貯湯温センサ２１の検知温度（以下、「貯湯温度」という）Ｔｎが所定の加熱目標温度Ｓ１（例えば、３２℃）以上であるか否かを判定する（ＳＴ１）。
【００３２】
そして、ＳＴ１のステップにて、貯湯温度Ｔｎが加熱目標温度Ｓ１以上であれば、さらに、その貯湯温度Ｔｎが給水温センサ３１の検知温度（以下、「給水温度」という）Ｔｗより所定温度Ｓ２（例えば、３℃）以上高いか否か、即ち、貯湯温度Ｔｎから給水温度Ｔｗを減算した値が所定温度Ｓ２以上であるか否かを判定する（ＳＴ２）。
【００３３】
その結果、貯湯温度Ｔｎから給水温度Ｔｗを減算した値が所定温度Ｓ２以上である場合は、給水温度Ｔｗより高温で且つ加熱目標温度Ｓ１以上の湯がその検知領域に貯留されている「残湯あり」と判定し、残湯レベルＮに「１」を加算する（ＳＴ３）。
【００３４】
一方、ＳＴ２のステップにて、貯湯温度Ｔｎから給水温度Ｔｗを減算した値が所定温度Ｓ２未満である場合は、給水温度と同程度の湯しかその検知領域に貯留されていない「残湯なし」と判定し、上記残湯レベルＮに「１」を加算しないで、再び、ＳＴ１のステップを実行する。
【００３５】
上記ＳＴ１からＳＴ３のステップは、貯湯温センサ２１毎に行われ、この各ＳＴ３のステップで加算された残湯レベルＮが、貯湯タンク１２内の残湯量として表示パネル５０の残湯表示部５００に表される（例えば、残湯レベルＮが「４」であれば、残湯表示部５００を「４目盛全点灯」、残湯レベルＮが「３」であれば、残湯表示部５００を「３目盛点灯」、残湯レベルＮが「２」であれば、残湯表示部５００を「２目盛点灯」、残湯レベルＮが「１」であれば、残湯表示部５００を「１目盛点灯」させる）。
【００３６】
尚、図示しないが、太陽熱集熱器１４の太陽電池パネルが太陽光を受け、制御回路１６へ所定量以上の電力が供給されると、その電力により循環ポンプ４２を駆動する貯湯運転が行われる。その結果、太陽熱によって太陽熱集熱器１４の熱媒通路内で加熱された熱媒が貯湯タンク１２内部の放熱部１９０へ循環され、貯湯タンク１２内の湯水が加熱される。一方、リモコン１５の運転スイッチ５１が押されてオンになった後、温水供給先Ｐが開栓され、水量センサ２６の検知流量が所定値（例えば、２．７リットル／分）を超えると、給湯管路１７Ａの電磁弁２４を開き、貯湯タンク１２内の湯水を給湯管路１７Ａへ導く。そして、混合温センサ２７の検知温度がリモコン１５の設定温度より高い場合は、補助熱源機１３を作動させないで、湯水混合弁２５を所定開度に調整して分岐管路１７Ｃから導かれた水と貯湯タンク１２から導かれた湯とを上記設定温度に混合し、温水供給先Ｐへ供給する。また、混合温センサ２７の検知温度が上記設定温度より低い場合は、補助熱源機１３を作動させるとともに湯水混合弁２５の開度を調整し、貯湯タンク１２から導かれた湯水もしくはその湯水と分岐管路１７Ｃから供給される水との混合湯水を給湯用熱交換器３２内で上記設定温度にまで加熱して、温水供給先Ｐへ供給する。
【００３７】
ＳＴ３のステップの実行後、貯湯温度Ｔｎが上記加熱目標温度Ｓ１より低い所定の基準温度Ｓ３（例えば、２９℃）未満である否かを判定する（ＳＴ４）。
【００３８】
その結果、貯湯温度Ｔｎが基準温度Ｓ３未満である場合は、給水温度と同程度の湯しかその検知領域に貯留されていない「残湯なし」と判定し、上記残湯レベルＮから「１」を減算する（ＳＴ５）。
【００３９】
一方、ＳＴ４のステップにて、貯湯温度Ｔｎが基準温度Ｓ３未満でない場合は、さらに、貯湯温度Ｔｎが給水温度Ｔｗより所定温度Ｓ２（例えば、３℃）以上高い状態であるか否か、即ち、貯湯温度Ｔｎから給水温度Ｔｗを減算した値が所定温度Ｓ２以上であるか否かを判定する（ＳＴ６）。
【００４０】
その結果、貯湯温度Ｔｎから給水温度Ｔｗを減算した値が所定温度Ｓ２以上であれば、給水温度Ｔｗより高温で且つ加熱目標温度Ｓ１以上の湯がその検知領域に貯留されている「残湯あり」と判定し、再び、ＳＴ４のステップを実行するが、貯湯温度Ｔｎから給水温度Ｔｗを減算した値が所定温度Ｓ２未満である場合は、給水温度と同程度の湯しかその検知領域に貯留されていない「残湯なし」と判定し、この場合も、残湯レベルＮから「１」を減算する（ＳＴ５）。
【００４１】
上記ＳＴ４からＳＴ６のステップもＳＴ１からＳＴ３のステップと同様、貯湯温センサ２１毎に行われ、この各ＳＴ５のステップで減算された残湯レベルＮが、貯湯タンク１２内の残湯量として表示パネル５０の残湯表示部５００に表される（例えば、残湯レベルＮが「３」となれば、残湯表示部５００を「３目盛点灯」、残湯レベルＮが「２」となれば、残湯表示部５００を「２目盛点灯」、残湯レベルＮが「１」となれば、残湯表示部５００を「１目盛点灯」、残湯レベルＮが「０」となれば、残湯表示部５００を「４目盛全消灯」させる）。
【００４２】
そして、図示しないが、温水供給先Ｐが閉栓された場合は、給湯管路１７Ａの電磁弁２４を閉じ、貯湯タンク１２から給湯管路１７Ａへの湯水の供給を停止する。
【００４３】
このように、上記実施の形態では、一の検知領域における貯湯温度Ｔｎが加熱目標温度Ｓ１以上である場合、給水温度Ｔｗより所定温度Ｓ２以上高くなれば、「残湯あり」と判定して残湯表示部５００の残湯量表示を増加させる一方、一の検知領域における貯湯温度Ｔｎが加熱目標温度Ｓ１より低い所定の基準温度Ｓ３未満になるか、もしくは、貯湯温度Ｔｎから給水温度Ｔｗを減算した値が所定温度Ｓ２未満になれば、「残湯なし」と判定して残湯表示部５００の残湯量表示を減少させるから、実際の貯湯タンク１２内の残湯量に合わせて正確にその残湯量を表示することが可能である。これにより、使用者が運転状況を誤認するのを防止できる。
【００４４】
尚、温水供給先Ｐの閉栓や貯湯タンク１２内で加熱された湯水の熱膨張等によって、貯湯タンク１２内が所定圧力より高くなれば、圧力逃がし弁２３が開き、所定量の湯水を貯湯タンク１２内から外部へ排出するように構成されているが、この圧力逃がし弁２３の閉塞不良や貯湯タンク１２の破損等によって、貯湯タンク１２内の湯が外部へ漏れ出している場合、貯湯運転が長時間行われているにもかかわらず、残湯表示部５００が満表示（目盛全点灯）にならない可能性がある。
【００４５】
そこで、上記実施の形態における制御回路１６は、さらに、計時部と、貯湯タンク１２内の最上位に配設された貯湯温センサ２１の検知温度（以下、「上域貯湯温度」という）に基づいて貯湯タンク１２内からの湯漏れを判定する湯漏れ判定部とを備えている。
【００４６】
［湯漏れ検知動作の実際］
次に、貯湯タンク１２内の湯が外部へ漏出しているか否かを判定する上記制御回路１６の湯漏れ検知動作について、図４のフローチャートに従って説明する。
【００４７】
まず、太陽熱集熱器１４から制御回路１６へ所定量以上の電力が供給され、貯湯運転が開始されたか否かの監視を開始する（ＳＴ１１）。
【００４８】
そして、ＳＴ１１のステップにて、貯湯運転が開始されたことが確認されると、その貯湯運転開始時における上域貯湯温度（以下、「初期貯湯温度」という）Ｔａを記憶する（ＳＴ１２）。
【００４９】
ここで、給湯管路１７Ａの電磁弁２４が開かれ、給湯運転が開始されている場合は、正確に貯湯タンク１２内からの湯漏れを検知できないため、今回の貯湯運転が終了するのを待って、再び、上記ＳＴ１１のステップを実行する（ＳＴ１３〜ＳＴ１４）。
【００５０】
一方、ＳＴ１３のステップにて、電磁弁２４が開かれていないのが確認されると、現在の上域貯湯温度Ｔｂが初期貯湯温度Ｔａより所定温度Ｓ４（例えば、３℃）以上高い状態が、所定時間Ｋ１（例えば、１０秒間）継続したか否か、即ち、貯湯タンク１２の上域が所定時間Ｋ１以上高温状態であるか否かを判定する（ＳＴ１５〜ＳＴ１６）。
【００５１】
その結果、所定時間Ｋ１以上高温状態が継続したと判定された場合には、貯湯タンク１２内の残湯量が一定時間以上最大であったと認められるから、貯湯タンク１２内からの湯漏れのない正常状態であると判定し、貯湯運転終了後、再び、上記ＳＴ１１のステップ以降の動作を繰り返す（ＳＴ１７，ＳＴ１４）。
【００５２】
また、ＳＴ１５からＳＴ１６のステップにて、所定時間Ｋ１以上高温状態が継続しなかったと判定された場合は、貯湯タンク１２内に貯留されていた湯が何らかの原因で外部へ漏れ出している疑いがあるから、さらに、貯湯運転が終了するか或いは電磁弁２４が開かれて給湯運転が開始されるまでの間に、その湯漏れ疑いの状態が予め設定された判定時間Ｋ２（例えば、１時間）以上続いたか否かを判定する（ＳＴ１８〜ＳＴ１９，ＳＴ１３，ＳＴ１５〜ＳＴ１６）。
【００５３】
そして、ＳＴ１８のステップにて、上記湯漏れ疑いの状態が上記判定時間Ｋ２以上続いたと判定された場合は、貯湯タンク１２内から外部へ湯漏れが発生していると認められるから、表示パネル５０に貯湯タンク１２からの湯漏れを表示（例えば、残湯表示部５００を「４目盛全点滅」）させ、貯湯運転終了後、再び、上記ＳＴ１１のステップ以降の動作を繰り返す（ＳＴ２０，ＳＴ１４）。
【００５４】
このものでは、例えばマンションのバルコニーに設置される小型の太陽熱集熱器のように、集熱能力の比較的小さな加熱手段を用いた貯湯式給湯システムであっても、確実に貯湯タンクからの湯漏れを検知できるから、安全性が向上する。
【００５５】
［その他］
尚、上記実施の形態では、リモコン１５の運転スイッチ５１がオンになれば、貯湯温度Ｔｎおよび給水温度Ｔｗに基づいて速やかに貯湯タンク１２内の残湯量を判定しているが（図３参照）、リモコン１５の運転スイッチ５１がオンになっても、温水供給先Ｐから一定量以上の出湯がなされるまで給水温度の検知を許可しない検知時期調整動作を実行するものであっても良い。
【００５６】
詳述すると、制御回路１６は、貯湯タンク１２から温水供給先Ｐへ送り出される積算水量を計測する通水量計測部と、上記積算水量が所定水量以上になったか否かを判定する通水量判定部とを備えており、リモコン１５の運転スイッチ５１がオンになると、まず、図５のフローチャートに示すように、温水供給先Ｐが開弁されて、給湯管路１７Ａの電磁弁２４が開かれたか否かを監視する（ＳＴ３１）。
【００５７】
そして、ＳＴ３１のステップにて、電磁弁２４が開かれるまでの間は、給水温センサ３１による給水温度Ｔｗの検知を禁止し、電磁弁２４の開かれたことが確認されれば、水量センサ２６によって上記積算水量Ｌ１が所定水量Ｌｓ以上になったか否かを監視する（ＳＴ３２〜ＳＴ３３）。
【００５８】
その結果、積算水量Ｌ１が所定水量Ｌｓ（例えば、１リットル）以上になれば、上記給水温度Ｔｗの検知を許可する。そして、温水供給先Ｐが閉栓され、給湯管路１７Ａの電磁弁２４が閉じられると、上記給水温度Ｔｗの検知を禁止し、再び、上述したＳＴ３１のステップ以降の動作を繰り返す（ＳＴ３４〜ＳＴ３５）。
【００５９】
このように、上記実施の形態では、外気温の影響を受けて加熱された給水管路１２内の水が給水温センサ３１の配設部を通過し、給水管路１２内の水温が安定してから上述の残湯量表示動作が実行されるから、貯湯タンク１２内の残湯量を一層正確に検知することが可能である。
【００６０】
上記実施の形態では、貯湯温度Ｔｎが加熱目標温度Ｓ１より低い所定の基準温度Ｓ３未満である場合に、残湯表示部５００の残湯量表示を減少させる制御構成のものを説明したが、貯湯温度Ｔｎが加熱目標温度Ｓ１未満である場合に、上記残湯量表示を減少させる制御構成であっても良い。
【００６１】
また、上記実施の形態では、複数の貯湯温センサ２１の検知温度に基づいてそれら各検知領域の残湯の有無を判定し、その判定結果（残湯レベルＮ）を貯湯タンク１２内の残湯量として表示パネル５０に目盛表示させたが、一つの貯湯温センサ２１の検知温度に基づいて貯湯タンク１２内の残湯の有無を判定し、その残湯の有無を貯湯タンク１２内の残湯状態として表示パネル５０に点消灯表示させるものであっても良い。
【００６２】
さらに、上記実施の形態では、貯湯タンク１２内の残湯量を複数の目盛の点消灯で表示したが、アイコンや色の変化で表示しても良いし、所定単位（リットル）や割合（％）等の数値で表示しても良い。
【００６３】
上記実施の形態における貯湯式給湯システム１は、太陽熱によって貯湯タンク１２内の湯水を加熱する構成であるが、発電装置やヒートポンプ装置からの排熱によって上記湯水を加熱する構成であっても良い。
【符号の説明】
【００６４】
１・・・貯湯式給湯システム
１２・・・貯湯タンク
１３・・・補助熱源機
１４・・・太陽熱集熱器（加熱手段）
１５・・・リモコン
１６・・・制御回路（制御部）
１７Ａ・・・給湯管路
１７Ｂ・・・給水管路
１９・・・熱媒循環管路
２１・・・貯湯温センサ
２２・・・出湯温センサ
２７・・・混合温センサ
３１・・・給水温センサ
５０・・・表示パネル（残湯表示部）
Ｐ・・・温水供給先
【図１】
0005604119.tif 000002
【図２】
0005604119.tif 000003
【図３】
0005604119.tif 000004
【図４】
0005604119.tif 000005
【図５】
0005604119.tif 000006